(57)【要約】【課題】  高速で旋回することが可能な羽ばたき方を行なう浮上移動装置を提供する。【解決手段】  浮上移動装置は、前進、後退、またはホバリングするときには、左右の羽部に左右対称な羽ばたき方を行なわせる。一方、浮上移動装置は、旋回するときには、左右の羽部に所定の左右非対称な羽ばたき方を行なわせた後、左右の羽部にその所定の羽ばたき方と上下方向および前後方向を含む面に対して鏡面対称な特定の羽ばたき方を行なわせる。このとき、所定の羽ばたき方によるロール角の変化は、特定の羽ばたき方のロール角の変化によって相殺される。また、所定の羽ばたき方および特定の羽ばたき方のそれぞれは、左右対称な羽ばたき方の左右の羽部のうちの少なくともいずれか一方のストロークが拡大または縮小された羽ばたき方である。したがって、ピッチ角の変化が小さい。その結果、ヨー角のみが大きく変化する。【選択図】        図１
2006232169.tif 000002
【特許請求の範囲】
【請求項１】
流体が存在する空間は羽ばたくための右羽部および左羽部と、
前記右羽部を駆動する右駆動部と、
前記左羽部を駆動する左駆動部と、
前記右駆動部および前記左駆動部を制御する制御装置とを備えた浮上移動装置であって、
前記制御装置は、前記浮上移動装置の姿勢を変化させる第１の羽ばたき動作と前記第１の羽ばたき動作による前記浮上移動装置の姿勢の変化の一部を相殺する第２の羽ばたき動作との組み合わせを用いることによって、前記浮上移動装置の移動方向を変化させる、浮上移動装置。
【請求項２】
前記第１の羽ばたき動作と前記第２の羽ばたき動作とは、互いに逆向きのロール軸まわりの回転加速度を前記浮上移動装置に与える、浮上移動装置。
【請求項３】
流体が存在する空間は羽ばたくための右羽部および左羽部と、
前記右羽部を駆動する右駆動部と、
前記左羽部を駆動する左駆動部と、
前記右駆動部および前記左駆動部を制御する制御装置とを備えた浮上移動装置であって、
前記制御装置は、
前記右羽部および前記左羽部が、左右対称な動作であって、当該浮上移動装置が前進、後退、またはホバリングするための動作をするように、前記右駆動部および前記左駆動部を制御する手段と、
当該浮上移動装置が前進、後退、またはホバリングしているときに、前記右羽部および前記左羽部が、左右非対称な動作をするように、前記右駆駆動部および前記左駆動部を制御する手段と、
前記左右非対称な動作の後、前記右羽部および前記左羽部が、前記左右非対称な動作と前記浮上移動装置の上下方向および前後方向を含む面に対して鏡面対称な動作をするように、前記右駆動部および前記左駆動部を制御する手段とを含む、浮上移動装置。
【請求項４】
前記左右非対称な動作は、前記前進、前記後退、または前記ホバリングのための動作との比較において、前記右羽部および前記左羽部のうち少なくともいずれか一方のストロークが拡大または縮小された動作である、請求項３に記載の浮上移動装置。
【請求項５】
前記前進、前記後退、または前記ホバリングのための前記左羽部および前記右羽部の動作のそれぞれは、連続関数である第１の周期関数によって表現され、
前記左右非対称な動作における前記右羽部および前記左羽部のそれぞれの動作は、前記第１の周期関数と、連続関数であってゼロから始まりゼロで終わる第２の周期関数との和または差の関数によって表現される動作である、請求項４に記載の浮上移動装置。
【請求項６】
前記前進、前記後退、または前記ホバリングのための前記左羽部および前記右羽部のそれぞれの動作が、連続関数である第１周期関数で表現され、
前記左右対称な動作における前記右羽部および前記左羽部のそれぞれの動作は、前記第１の周期関数と、連続関数であって１から始まり１で終わる第２の周期関数との乗算または除算の関数によって表現される動作である、請求項４に記載の浮上移動装置。
【請求項７】
前記第１の周期関数および第２の周期関数のそれぞれは、その微分された関数が連続関数であってかつゼロから始まりゼロで終わる関数である、請求項５または６に記載の浮上移動装置。
【請求項８】
前記第１周期関数の周期と前記第２の周期関数の周期とは一致している、請求項５〜７のいずれかに記載の浮上移動装置。
【請求項９】
前記ストロークの拡大または縮小は、前記右羽部および前記左羽部のそれぞれの前方または後方の切り返し点の変更によって行なわれる、請求項４に記載の浮上移動装置。
【請求項１０】
前記左右非対称な動作は、前記右羽および前記左羽部のうち所望する旋回方向とは反対側に位置する羽部の前方の切り返し点を前方へ移動させた動作であり、
前記鏡面対称な動作は、前記羽部とは反対側に位置する羽部の前方の切り返し点を前方へ移動させた動作である、請求項９に記載の浮上移動装置。
【請求項１１】
前記左右非対称な動作は、前記右羽および前記左羽部のうち所望する旋回方向とは反対側に位置する羽部の後方の切り返し点を後方へ移動させた動作であり、
前記鏡面対称な動作は、前記羽部とは反対側に位置する羽部の後方の切り返し点を後方へ移動させた動作である、請求項９に記載の浮上移動装置。
【請求項１２】
前記制御装置は、前記右羽部および前記左羽部のそれぞれの後方の切り返し点において、前記左右非対称な動作と前記鏡面対称な動作とが切り換えられるように、前記右駆動部および前記左駆動部を制御する、請求項１０に記載の浮上移動装置。
【請求項１３】
流体が存在する空間は羽ばたくための右羽部および左羽部と、
前記右羽部を駆動する右駆動部と、
前記左羽部を駆動する左駆動部と、
前記右駆動部および前記左駆動部を制御する制御装置とを備えた浮上移動装置の旋回方法であって、
前記制御装置は、
前記右羽部および前記左羽部が、左右対称な動作であって、当該浮上移動装置が前進、後退、またはホバリングするための動作をするように、前記右駆動部および前記左駆動部を制御するステップと、
当該浮上移動装置が前進、後退、またはホバリングしているときに、前記右羽部および前記左羽部が、左右非対称な動作をするように、前記右駆駆動部および前記左駆動部を制御するステップと、
前記左右非対称な動作の後、前記右羽部および前記左羽部が、前記左右非対称な動作と前記浮上移動装置の上下方向および前後方向を含む面に対して鏡面対称な動作をするように、前記右駆動部および前記左駆動部を制御するステップとを実行する、浮上移動装置の旋回方法。
【発明の詳細な説明】
【技術分野】
【０００１】
本発明は、羽ばたきに飛行を行なう浮上移動装置およびその旋回方法に関するものである。
【背景技術】
【０００２】
従来の航空機との比較において機動性が優れている羽ばたき飛行するロボットの工学的な実現を目指した研究が、近年盛んになっている。
【０００３】
カリフォルニア大学バークレー校のRon Fearingらは、Micromechanical Flying Insectと称する小型羽ばたき飛行ロボットを提案し、論文 ”Attitude Control for a Micromechanical Flying Insect via Sensor Output Feedback” (L. Schenato and W.C. Wu and S.S. Sastry, IEEE Journal of Robotics and Automation, vol. 20, no. 1, pp. 93-106, Feb. 2004.)の中で、その高度の制御について述べている。
【非特許文献１】Attitude Control for a Micromechanical Flying Insect via Sensor Output Feedback” (L. Schenato and W.C. Wu and S.S. Sastry, IEEE Journal of Robotics and Automation, vol. 20, no. 1, pp. 93-106, Feb. 2004.)
【発明の開示】
【発明が解決しようとする課題】
【０００４】
従来においては、羽ばたき飛行ロボットの旋回方法の検討はあまり行なわれてない。羽ばたき飛行ロボットの旋回方法としては、単純に、左の羽部の水平力と右の羽部の水平力とを異ならせる方法が考えられる。しかしながら、実際には、この旋回方法を用いる場合には、次のような理由から羽ばたき飛行ロボットは高速旋回運動を実現することはできない。
【０００５】
一般に、飛行中の羽ばたき飛行ロボットの運動は、重心にかかるトルクおよびモーメントによって決定される。したがって、図１１に示されるような従来の旋回方法においては、羽ばたき飛行ロボットは、たとえば、左右の羽部の双方の推進力が＋Ｆｈである状態から、左右の羽部のうちのいずれか一方によって生成される推進力が＋Ｆｈであって他方によって生成される推進力が−Ｆｈである状態へ、羽ばたき方を急に変更しなければならない。つまり、羽ばたき飛行ロボットは、左右の羽部の羽ばたき方を大きく変更する必要がある。そのため、左右の羽部に生じる浮上力同士の間に大きな差が生じる。その結果、たとえば、左の羽部の浮上力が右の羽部の浮上力に比較して大きく低下すると、羽ばたき飛行ロボットは、図１１における進行方向に向かって反時計周りに回転する。したがって、左右の羽部の推進力が変更されても、羽ばたき飛行ロボットは、旋回することなく、落下してしまう。
【０００６】
つまり、従来の第一原理的な旋回手法は、所望の一成分の力についてのみ考察された手法であり、現実的に羽ばたき飛行ロボットが、飛行を維持しつつ高速旋回することができる手法は確立されていない。
【０００７】
本発明は、上述の問題に鑑みなされたものであり、その目的は、高速で旋回することが可能な浮上移動装置を提供することである。
【課題を解決するための手段】
【０００８】
本発明の一の局面の浮上移動装置は、流体が存在する空間は羽ばたくための右羽部および左羽部と、右羽部を駆動する右駆動部と、左羽部を駆動する左駆動部と、駆動動部および左駆動部を制御する制御装置とを備えている。制御装置は、浮上移動装置の姿勢を変化させる第１の羽ばたき動作と第１の羽ばたき動作による浮上移動装置の姿勢の変化の一部を相殺する第２の羽ばたき動作との組み合わせを用いることによって、浮上移動装置の移動方向を変化させる。この構成によれば、浮上移動装置は、姿勢を大きく崩すことなく旋回することができる。
【０００９】
また、第１の羽ばたき動作と第２の羽ばたき動作とは、互いに逆向きのロール軸まわりの回転加速度を浮上移動装置に与えることが望ましい。これによれば、姿勢の変化の３成分（ピッチ角、ヨー角、ロール角）のうち１成分（ロール角）の変化が相殺されるため、左右方向への拘束旋回することが可能になる。
【００１０】
本発明の他の局面の浮上移動装置は、流体が存在する空間は羽ばたくための右羽部および左羽部と、右羽部を駆動する右駆動部と、左羽部を駆動する左駆動部と、右駆動部および左駆動部を制御する制御装置とを備えている。
【００１１】
制御装置は、右羽部および左羽部が、左右対称な動作であって、浮上移動装置が前進、後退、またはホバリングするための動作をするように、右駆動部および左駆動部を制御する手段を含んでいる。また、制御装置は、浮上移動装置が前進、後退、またはホバリングしているときに、右羽部および左羽部が、左右非対称な動作をするように、右駆駆動部および左駆動部を制御する手段を含んでいる。また、制御装置は、左右非対称な動作の後、右羽部および左羽部が、左右非対称な動作と浮上移動装置の上下方向および前後方向を含む面に対して鏡面対称な動作をするように、右駆動部および左駆動部を制御する手段とを含んでいる。
【００１２】
上記の構成によれば、浮上移動装置は、姿勢を大きく崩すことなく、右または左への旋回を行なうことができる。より具体的には、旋回のための左右非対称な動作が行なわれた後、左右非対称な動作と浮上移動装置の上下方向および前後方向を含む面に対して鏡面対称な動作が行なわれる。このとき、浮上移動装置は、旋回のための羽ばたき方の変更に起因して、その姿勢が変化するが、姿勢の変化の３成分（ピッチ角、ヨー角、ロール角）のうち１成分（ロール角）の変化が相殺される。したがって、浮上移動装置は高速旋回を実現することができる。
【００１３】
また、前述の左右非対称な動作作は、前進、後退、またはホバリングのための動作との比較において、右羽部および左羽部のうち少なくともいずれか一方のストロークが拡大または縮小された動作であることが望ましい。
【００１４】
上記の構成によれば、ストロークの拡大または縮小が行なわれても、ピッチ角の変化が小さい。また、旋回時に行なわれる前半の動作と後半の動作とが左右鏡面対称であるため、ロール角の変化は相殺される。その結果、ヨー角のみの変更が実現される。したがって、右または左への旋回が実現され易くなる。
【００１５】
また、前進、後退、またはホバリングのための左羽部および右羽部の動作のそれぞれは、連続関数である第１の周期関数によって表現され、左右非対称な動作における右羽部および左羽部のそれぞれの動作は、第１の周期関数と、連続関数であってゼロから始まりゼロで終わる第２の周期関数との和または差の関数によって表現される動作であってもよい。また、左右非対称な動作における右羽部および左羽部のそれぞれの動作は、第１の周期関数と、連続関数であって１から始まり１で終わる第２の周期関数との乗算または除算の関数によって表現される動作であってもよい。また、第１の周期関数および第２の周期関数のそれぞれは、その微分された関数が連続関数であってかつゼロから始まりゼロで終わる関数であることが望ましい。これらの構成によれば、羽ばたき方の変更で急激な加速度が右羽部および左羽部に生じることが防止されるため、浮上移動装置は、安定して右または左へ旋回することができる。
【００１６】
また、第１周期関数の周期と第２の周期関数の周期とは一致していることが望ましい。これにより、必要最低限の羽ばたき方の変更で右または左への旋回を実現することができる。
【００１７】
また、ストロークの拡大または縮小は、右羽部および左羽部のそれぞれの前方または後方の切り返し点の変更によって行なわれることが望ましい。この構成によれば、浮上移動装置は、単純な羽ばたき動作の変更によって右または左への旋回を実現することができる。
【００１８】
また、左右非対称な動作は、右羽および左羽部のうち所望する旋回方向とは反対側に位置する羽部の前方の切り返し点を前方へ移動させた動作であり、鏡面対称な動作は、その羽部とは反対側に位置する羽部の前方の切り返し点を前方へ移動させた動作であることが望ましい。これによって、浮上移動装置は、所望する方向への旋回を実現することができる。
【００１９】
また、左右非対称な動作は、右羽および左羽部のうち所望する旋回方向とは反対側に位置する羽部の後方の切り返し点を後方へ移動させた動作であり、鏡面対称な動作は、羽部とは反対側に位置する羽部の後方の切り返し点を後方へ移動させた動作であることが望ましい。これによって、浮上移動装置は、所望する方向への旋回を実現することができる。
【００２０】
また、制御装置は、右羽部および左羽部のそれぞれの後方の切り返し点において、左右非対称な動作と鏡面対称な動作とが切り換えられるように、右駆動部および左駆動部を制御することが望ましい。この構成によれば、羽ばたき方によらず、後方の切り返し点の浮上移動装置に対する相対的な位置は変更されないため、スムーズに羽ばたき方の切り換えを行うことができる。また、制御装置は、羽ばたき方の切り換えのために、切り換えの前の羽ばたき方と切り換えの後の羽ばたき方との間を補完する他の羽ばたき方のための制御を行なう必要がない。したがって、羽ばたき方の切り換えのための制御が容易になる。
【００２１】
また、浮上移動装置の旋回方法においては、制御装置は、まず、右羽部および左羽部が、左右対称な動作であって、浮上移動装置が前進、後退、またはホバリングするための動作をするように、右駆動部および左駆動部を制御する。次に、制御装置は、浮上移動装置が前進、後退、またはホバリングしているときに、右羽部および左羽部が、左右非対称な動作をするように、右駆駆動部および左駆動部を制御する。さらに、制御装置は、左右非対称な動作の後、右羽部および左羽部が、左右非対称な動作と上下方向および左右方向を含む面に対して鏡面対称な動作をするように、右駆動部および左駆動部を制御する。
【発明を実施するための最良の形態】
【００２２】
図１〜図２３を用いて、本発明の実施の形態の羽ばたき浮上移動装置を説明する。なお、本実施の形態では、左右対称の構成を有するロボットについて説明する。したがって、説明の簡略のため、左右対称である構成要素には同一参照符号が付され、それらのうち一方のみについて説明する。
【００２３】
（全体の構成）
図１に示すように、本体５００と、本体５００の前後方向に対する左側および右側のそれぞれに設けられた一対の羽部１１０とを有している。その浮上移動装置は、羽部１１０が、その運動により周囲流体に流体力を生じさせる。その流体力は、浮上移動装置の重力の方向とは逆向きに、浮上移動装置の重力よりも大きな浮上力を浮上移動装置に生じさせることが可能である。
【００２４】
また、浮上移動装置は、一方端側が、羽部１１０に固定された駆動機構部８００を有している。駆動機構部８００は、他方端側が、本体５００内の第１および第２の駆動部１００１および１００２に接続されており、第１および第２の駆動部１００１および１００２の駆動力を羽部１１０に伝達する。なお、本実施の形態においては、左半分に対して鏡面対称である構成要素が右半分について設けられているものとするが、本発明においては、浮上移動装置が左右対称の構成からなっていることは、必須の条件ではない。
【００２５】
次に、図１における駆動機構部８００（図１中、点線で囲まれた部分）の左羽側を拡大したものを図２に示す。図２では、Ｚ軸によって鉛直方向が示され、Ｙ軸によって前後方向が示され、Ｘ軸によって左右方向が示されている。また、図１においては、第１および第２の駆動部１００１および１００２の共通の回転中心軸をＺ軸とする。図２では、図を見易くするため、第１および第２の回転部材１０２および１０８のみがそれぞれ独立してＺ軸周りに回転するように描かれ、第１および第２の駆動部１００１および１００２ならびに羽部１１０は描かれていない。なお、第１および第２の駆動部１００１および１００２は、それぞれ、何らかの支持部材で本体５００に固定されているとともに、本体５００に対して相対的に回転することが可能に構成されているが、図１では、その支持部材等の構造の描写は行なわれていない。
【００２６】
ただし、第１の駆動部１００１と第１の回転部材１０２とが接続され、第１の駆動部１００１の回転往復運動に伴って、第１の回転部材１０２が往復回転運動する。また、第２の駆動部１００２と第２の回転部材１０８とが接続され、第２の駆動部１００２の往復回転運動に伴って、第２の回転部材１０８が往復回転運動する。また、第１の駆動部１００１と第２の駆動部１００２とは、独立して往復回転運動するため、第１の回転部材１０２と第２の回転部材１０８とも、互いに独立して、回転往復運動する。それにより、羽部１１０の先端部１０９と仮想の所定の基準面（ＸＹ平面）とのなす捻り角が変化する。
【００２７】
なお、各実施の形態においては、第１の駆動部１００１の回転中心軸と第２の駆動部１００２の回転中心軸とが一致している駆動機構部８００が示されているが、それらの回転中心軸同士が一致していない駆動機構部であっても、本実施の形態の駆動機構部８００によって達成される目的と同様の目的を達成することは可能である。
【００２８】
（羽駆動部の構成）
図２に示した駆動機構部８００は、２つの回転部材、２つの中間部材、および３つのヒンジ部、つまり、第１および第２の回転部材１０２および１０８、第１および第２の中間部材１０４および１０６、第１、第２、および第３のヒンジ部１０３、１０５、および１０７を有している。
【００２９】
第１の回転部材１０２と第１の中間部材１０４とは、第１のヒンジ部１０３を介して接続され、第１の中間部材１０４と第２の中間部材１０６とは、第２のヒンジ部１０５を介して接続され、第２の中間部材１０６と第２の回転部材１０８とは、第３のヒンジ部１０７を介して接続されている。第１の中間部材１０４は、第１のヒンジ部１０３が延びる方向の回転中心軸周りに自由に回動することが可能であり、かつ、第２のヒンジ部１０５が延びる方向の回転中心軸周りに自由に回動することが可能である。第２の中間部材１０６は、第２のヒンジ部１０５が延びる方向の回転中心軸周りに自由に回動することが可能であり、かつ、第３のヒンジ部１０７が延びる方向の回転中心軸周りに自由に回動することが可能である。
【００３０】
なお、本発明においては、少なくとも２つの回転部材の間に接続される中間部材の個数ｎはｎ≧１であればよい。ただし、ｎ＝１の時は、第１の回転部材１０２の回転角θ1および第２の回転部材１０２の回転角θ2の差（θ1−θ2）が変化すると、中間部材の両端の２つのヒンジ部の先端（原点Оから遠方側の端部）同士の間の距離が変化するため、中間部材または回転部材がある程度以上大きく変形できるものでなければならない。それを避けるためには、中間部材の数、すなわち、ｎが２個以上（ｎ≧２）であることが望ましい。そこで、本実施の形態においては、ｎ≧２という条件を具備するもののうちで最も製造が容易なｎ＝２という条件を具備する浮上移動装置について説明がなされる。
【００３１】
本実施の形態においては、図１に示す羽部１１０、すなわち、羽膜部１００および羽軸部１０１のうち少なくともいずれか一方は、第１の中間部材１０４と固定されているものとする。また、羽膜部１００に捻り角α（図１０参照）を与えるときにも、羽軸部１０１が延びる方向の回転中心軸がＺ軸と成す角（コニング角）が一定値に保たれるように、羽軸部１０１が延びる方向の回転中心軸の延長線が、回転部材の一端のヒンジ部（たとえば、第１のヒンジ部１０３）の回転中心軸と重なっているものとする。なお、捻り角αは、羽部１１０の先端部１０９がＸＺ平面となす角度であるものとする。さらに、説明を容易にするため、第１のヒンジ部１０３の回転中心軸は、Ｘ軸上にあるものとする。つまり、Ｚ軸と第１のヒンジ部１０３とがなすコニング角が直角であるものとする。
【００３２】
一方、回転部材の回転に伴って各中間部材および各ヒンジ部に生じる歪みが小さくなるように、各ヒンジ部の一端（一般にはヒンジ部の回転中心軸の延長線上の所定の点）が原点Оと重なっているものとする。後述する実施の形態では、図５に示されているように、各ヒンジ部および各中間部材は、相互に摩擦が生じず、それぞれの動作がスムーズに行なえるように、原点Оの近傍で切断されたものが描かれているが、図２においては、煩雑さを避けるため、各ヒンジ部および各中間部材は、原点０まで延びているものが描かれている。
【００３３】
（羽駆動の基本原理）
次に、たとえば、第１および第２の回転部材１０２および１０８の回転角がθ1およびθ2であり、Ｘ軸が延びる方向が角度０°である場合を考える。この場合、羽部１１０の羽ばたき運動は、ＸＹ平面に平行に、±θだけ、第１および第２の回転部材１０２および１０８を往復回転運動させることによって行なわれる。一方、羽軸部１０１が延びる方向の回転軸周りの捻り角α、すなわち、羽軸部１０１が延びる方向に羽膜部１００を見たときに羽膜部１００が羽軸部１０１周りに回転する角度は、２つの回転角θ1およびθ2の差θ2−θ1≡Δθを変化させることによって制御される。
【００３４】
なお、以下の各実施の形態では、第１の駆動部１００１の回転に起因した第１の回転部材１０２の回転によって、羽部１１０（羽膜部１００および羽軸部１０１）の所定の点は、ＸＹ平面に平行な面内の往復回転運動（ストローク運動）を行なう。また、第２の駆動部１００２の回転に起因した第２の回転部材１０８の往復回転運動によって、羽部１１０（羽膜部１００および羽軸部１０１）の所定の点は、ＹＺ平面に平行な面内の往復回転運動（図１０に示す捻り角αが変化する捻り運動）を行なう。
【００３５】
また、２つの回転角θ1およびθ2の差Δθと捻り角αとの関係は、次のように求められる。図２においては、Ｘ軸上の第１のヒンジ部１０３が線分ＯＰによって表わされている。第１のヒンジ部１０３の長さがｂであるとすると、第１のヒンジ部１０３の先端Ｐの座標は（ｂ，０，０）である。また、第２のヒンジ部１０５が線分ＯＱによって表わされる。第２のヒンジ部１０５の先端Ｑは、第１のヒンジ部１０３の先端から距離ａだけ離れており、線分ＯＱとＸＹ平面とがなす角度（位置角）は、ωであるものとすると、第２のヒンジ部１０５の先端Ｑの座標は（ｂ，ａ×cosω，ｂ×cosω）である。さらに、第３のヒンジ部１０７が線分ＯＲによって表わされている。第３のヒンジ部１０７の先端Ｒは、ＸＹ平面から距離ｄだけ離れており、かつ、Ｚ軸から距離ｂだけ離れており、線分ＯＲとＸＺ平面とがなす角度（位置角）は、λであるものとする。このとき、第３のヒンジ部１０７の先端Ｒの座標は（ｂ×cosλ，ｂ×sinλ，ｄ）となる。
【００３６】
ここで、θ1＝０°であると仮定され、回転角θ2がΔθであるとすると、２つの回転角θ1およびθ2の差は、θ2−θ1＝Δθであり、かつ、羽膜部１００が羽軸部１０１が延びる方向の回転中心軸の周りに捻り角αだけ捻られるとすれば、ωがω＋αに変化する。このとき、回転前と回転後との比較において、線分ＰＱの距離は変化しないとすると、次の式（１）および（２）が成立する。
【００３７】
ＰＲ2（回転前）＝［ｂ−ｂ×cosλ］2＋［ａ×sinω−ｂsinλ］2＋［ａ×cosω−ｄ］2
ＰＲ2（回転後）＝［ｂ−ｂcos（λ＋Δθ）］2  …（１）
＋［ａ×sin（ω＋α）−ｂ×sin（λ＋Δθ）］2＋［ａ×cos（ω＋α）−ｄ］2                                                                        …（２）
前述の式（１）の右辺と式（２）の右辺とが等しいことから、次の式（３）が成立する。
【００３８】
ａ×ｄ×cos（ω＋α）＋ａ×ｂ×sin（λ＋Δθ）×sin（ω＋α）
＝ｂ2×cosλ−ｂ2×cos（λ＋Δθ）＋ａ×ｂ×sinω×sinλ＋ａ×ｄ×cosω
…（３）
この式（３）を解くと、捻り角αが求められる。
【００３９】
以上の結果から、本実施の形態の駆動機構部８００において、第１、第２および第３のヒンジ部１０３、１０５、および１０７のそれぞれを配置する適切な位置を求めることができる。その際の設計基準の一つとして、たとえば、（捻り角α）／（２つの回転角の差Δθ）がより大きい場合を検討する。この場合、２つの回転角θ1およびθ2の差Δθが小さく、かつ、大きな捻り角αが得られる浮上移動装置の設計が可能となる。
【００４０】
一般に、ｂ／ａおよびａ／ｄが大きい程、（捻り角α）／（２つの回転角θ1およびθ2の差Δθ）も大きくなるが、あまり大きな（捻り角α）／（２つの回転角θ1およびθ2の差Δθ）が採用されると、浮上移動装置のサイズが制約されたり、第１および第２の駆動部１００１および１００２に大きなトルクが要求されたりする。そのため、本実施の形態においては、ｂ／ａ＝３、かつ、ａ／ｄ＝２とする。また、位置角λを９０°に近づけると、駆動機構部８００の幅（Ｙ軸方向の長さ）が大きくなるため、λ＝０°とする。これらのパラメータから、差Δθが＋１０°および−１０°のそれぞれの場合の捻り角αと位置角ωとの関係が図３のグラフに示されている。図３のグラフから、位置角ω＝±４５〜１３５°の範囲であれば、捻り角αの角度の範囲Δαは、約９０°という大きな値（α／Δθ≒４．５）になる。後述の実施の形態１においては、位置角ω＝９０°の場合の実際の駆動機構部８００が説明される。
【００４１】
また、たとえば、距離ｄ＝０である場合の捻り角αと位置角ωとの関係が図４のグラフに示されている。このとき、位置角λを０°近傍の値にすると、第１の中間部材１０４と第２の中間部材１０６とが接近し過ぎるため、一例として、λ＝４５°が用いられている。この場合、位置角ω＝−１５〜＋４０°であるか、または、位置角ω＝＋１４０〜−１６５°であれば、捻り角αの角度の範囲Δαは、約６０°という大きな値（α／Δθ≒３）になる。後述する実施の形態２においては、位置角ω＝１８０°の場合の実際の駆動機構部８００が説明される。
【００４２】
（羽駆動のキネマティクス）
まず、図５〜図７を用いて、本発明の本実施の形態１の駆動機構部１を説明する。なお、本実施の形態の浮上移動装置の全体構成は、図１に示されている浮上移動装置の全体構成と同一である。つまり、図５に示す駆動機構部８００に付されている参照符号と図２に示す駆動機構部８００に付されている参照符号とが同一の部位同士は、互いに同一の構造および機能を有している。したがって、以下、図５に示す駆動機構部８００の構造および動作の説明においては、主に、前述の図２に示す駆動機構部８００の構造および動作と異なる構造の部分の説明がなされる。
【００４３】
本実施の形態においては、図５に示すように、羽軸部１０１は、第１の中間部材１０４に接続されている。羽軸部１０１は、第１の中間部材１０４を含む平面内に存在する板状部材によって構成されている。また、羽膜部１００は、その一辺が羽軸部１０１に固定されている。羽軸部１０１を含む平面と羽部１１０を含む平面とは角度τをなして交差している。
【００４４】
また、角度τに関しては、羽ばたき飛行中に羽膜部１００が撓んでも、羽膜部１００と羽軸部１０１との接合部においては、羽膜部１００の接平面と羽軸部１０１の接平面とがなす角は一定であるものとする。また、角度τは９０°であることが望ましいが、本発明の浮上移動装置においては、角度τが９０°以外の角度である浮上移動装置であっても、角度τが９０°である浮上移動装置と同様の目的を達成することができる。
【００４５】
回転部材と中間部材とは、それらを接続するヒンジ部が延びる方向の回転中心軸周りに回転可能である。また、ヒンジ部が延びる方向の延長線の全て（図５中の点線）は、原点Оで交わる。原点Оは、第１および第２の駆動部１００１および１００２の往復回転運動の共通の回転中心軸であるＺ軸上に位置している。このため、第１の回転部材１０２の回転角θ1と、第２の回転部材１０８の回転角θ2との差Δθ＝θ2−θ1が一定の範囲内であれば、第１および第２の中間部材１０４および１０６が滑らかに動作する。これにより、第１および第２の駆動部１００１および１００２の往復回転運動が、第１の中間部材１０４および羽軸部１０１を介して、羽膜部１００に伝達され、羽膜部１００は、ＹＺ平面に平行な捻り角αの往復回転運動を伴いながら、ＸＹ平面と平行な回転角Δθの往復回転運動をする。
【００４６】
また、回転角θ1＝θ2＝０°の状態では、第１および第２の回転部材１０２および１０８は、同一平面（図５ではＸＺ平面）内に位置している。この状態では、第２のヒンジ部１０５は、ＸＹ平面内でＸ軸と所定の角度をなしており、第１および第２の中間部材１０４および１０６は、第２のヒンジ部１０５と第１および第２の回転部材１０２および１０８との間に位置している。また、図５に示す構造は、図２に示す構造と同様に、Ｚ軸から第１および第２の回転部材１０２および１０８のそれぞれの先端までの距離がｂであり、第１の回転部材１０２の先端と第２の回転部材１０８の先端との間の距離がｄであり、第２のヒンジ部１０５の先端とＸ軸の距離がａである。
【００４７】
本実施の形態の移動装置においても、図５に示す構造は、理解の容易のために、第１のヒンジ部１０３が延びる方向の回転中心軸がＺ軸となす角（コニング角）が９０°（直角）であり、第１および第２の駆動部１００１および１００２の往復回転運動に伴なう羽軸部１０１の運動面（ストローク面）が、ＸＹ平面上に平行な面であって扇型の面となるものとするが、コニング角は直角以外の角度であってもよい。その場合は、羽軸部１０１は、ストローク面がＺ軸を中心軸とした円錐の側面の一部となるように、往復回転運動する。このように、本実施の形態の浮上移動装置によれば、コニング角が一定に保たれるため、羽軸部１０１におけるフラッタリング（運動する流体内での振動）を防止することができる。
【００４８】
また、第１の回転部材１０２が停止した状態（θ1＝０）で、第２の回転部材１０８を、一定のトルクで回転させた場合（θ2−θ1の場合）に、第２の回転部材１０８の回転角θ2＝Δθと羽部１１０に生じる捻り角αとの関係が、どのように変化するかについて、構造解析が行なわれた。その結果が、図６および図７に示されている。この構造解析においては、第１の回転部材１０２に与えるトルクを±５ｇｆ・ｃｍとし、駆動機構部８００のサイズに関しては、ａ＝５ｍｍ、ｂ＝１５ｍｍ、およびｄ＝２．５ｍｍであり、また、ヒンジ部の位置角に関しては、λ＝０°、および、ω＝９０°である。
【００４９】
材料に関しては、回転部材および中間部材には、０．１ｍｍ厚のアルミウム（ヤング率７０ＧＰａ、比重２．７ｇ）の板が用いられるが、ヤング率がより大きく、より比重が小さいものとして、ＣＦＲＰ（カーボン繊維強化プラスチック：Carbon Fiber Reinforced Plastic：ヤング率が１２０ＧＰａ、比重が１．６ｇ）などが用いられてもよい。また、ヒンジ部には、５μｍ厚のＰＥＴ（ポリエチレン・テレフタレート：ヤング率が３．９ＧＰａ、比重が１．２ｇ）が用いられている。
【００５０】
図６は、第１の回転部材１０２に−５ｇｆ・ｃｍのトルクを加えた時の解析結果を示しており、第２の回転部材１０８の回転角θ2＝Δθ−＝−３．９°であり、羽部１１０の捻り角α−＝−２１．７°である。また、図７は、第１の回転部材１０２に＋５ｇｆ・ｃｍのトルクを加えた時の解析結果を示しており、第２の回転部材１０８の回転角Δθ＋＝＋８．１°であり、羽部１１０の捻り角α＋＝＋３５．８°である。合計でΔθ＝Δθ＋−Δθ−＝１２．０°であり、α＝α＋−α−＝５７．５°である。このことから、第１回転部材１０２の回転角θ1と第２回転部材１０８の回転角θ2との差Δθが小さな値でも、羽膜部１００は大きな捻り角αで捻られることが分かる（α／Δθ＝４．８）。
【００５１】
前述のような構造のアクチュエータを動作させて、右羽軸１０８ａおよび右羽軸１０８ｂそれぞれを、図８に示すように前後方向（打ち下ろし方向および打ち上げ方向：図１のＹ軸方向）に往復運動させる。この往復運動も、図１に示すストローク面１０内で行なわれる。
【００５２】
前述のような浮上移動装置の羽部１１０の弾性変形の態様について説明する。
【００５３】
浮上移動装置の左右の羽部１１０は、前後方向に往復運動し、弾性変形する。つまり、図８に示すように、右の羽部１１０（左の羽部）の部位のうち右の羽軸１０１（左の羽軸部１０１）に対して垂直な方向の先端部の運動が、右の羽軸部１０１（左の羽軸部１０１）の運動に比べて、遅れるように、左右の羽膜部１００のそれぞれが弾性変形するものとする。
【００５４】
前述のような羽膜部１００の弾性変形により、図９に示すように、羽膜部１００の表面に沿う方向に、流体の流れが生じる。なお、図９では、羽膜部１００は、弾性変形するため、羽ばたき動作の１回の平均では、打ち上げ方向および打ち下ろし方向それぞれに対してほぼ垂直な方向に流体力が発生する。
【００５５】
この流体の力を利用するために、図１０に示すように、駆動機構部８００の機能を用いて、羽軸部１１０をストローク面内で面内方向に往復運動（回動角θ1で示される運動）させながら、羽軸部１０１を、羽軸部１０１が延びる方向を回転中心軸として、回動させる（回動角αで示される運動）。
【００５６】
それにより、図９に示すように、羽軸部１０１を水平方向に往復運動させる場合には、羽膜部１００の表面に沿って生じる流体の流れにより、浮上移動装置に対して鉛直方向に浮上力が生じる。この浮上力が浮上移動装置の重力よりも大きければ、浮上移動装置は浮上する。
【００５７】
また、図８に矢印で示す打ち上げ方向および打ち下ろしの方向は、地面に垂直な方向を意味するものではない。羽膜部１００を羽軸部１０１が延びる方向を回転中心軸として回動させながら、羽軸部１０１を往復運動（ストローク面内の運動）させるときの、前後方向の羽軸部１０１の動きを打ち上げおよび打ち下ろしと名づけている。
【００５８】
要するに、図８に示す打ち上げ方向および打ち下ろしの方向は、ストローク面内の往復運動の方向を意味する。また、ホバリングするときには、ストローク面は、水平面に一致する。
【００５９】
また、前進、後退、またはホバリングのときには、駆動機構部８００は、右の羽部１１０の羽ばたき動作のストローク（羽ばたき角）の大きさと左の羽部１１０の羽ばたき動作のストローク（羽ばたき角）の大きさとがほぼ同一になるように、右の羽部１１０および左の羽部１１０のそれぞれに左右対称の羽ばたき動作を行なわせるが、左旋回または右旋回のときには、本実施の形態の浮上移動装置は、左の羽部１１０と右の羽部１１０とに左右非対称の動作をさせる。
【００６０】
（旋回方法）
次に、図１２〜図２３を用いて、前述の浮上移動装置１の旋回方法を具体的に説明する。なお、本実施の形態の浮上移動装置においては、ｄ＝０．５であるものとする。このとき、羽ばたき角としての回転角θ1とねじり角αとの関係は図３に示すようなものとなる。なお、図１３、図１６、図１７、図１９、図２０、および図２１のそれぞれには、羽部１１０の先端部１０９の所定の点の軌跡がプロットされている。また、図１３、図１６、図１７、図１９、図２０、および図２１のそれぞれにおいては、浮上移動装置は、前述のような羽部１１０を前後に往復運動させる羽ばたき方を行なうものとする。
【００６１】
なお、浮上移動装置１は、前進、後退、または、ホバリングしているときには、左右の羽部１１０が左右対称の動作をするが、一方、左または右への旋回のときには、左右の羽部１１０は左右非対称の動作をする。したがって、左の羽部１１０を駆動する左の第１の駆動部１００１および第２の駆動部１００２の回転角のそれぞれをθ1Ｌおよびθ2Ｌと表記し、右の羽部１１０を駆動する右の第１の駆動部１００１および第２の駆動部１００２の回転角のそれぞれをθ1Ｒおよびθ2Ｒと表記する。
【００６２】
ホバリングのための動作
浮上移動装置がホバリングするときには、図１３示すように、左の羽部１１０は、水平面内の左右方向に延びる軸に対して前後対称動作を行なう。また、図示していないが、右の羽部１１０も左の羽部１１０と同様に左右方向に延びる軸に対して前後対称な動作を行なう。さらに、左の羽部１１０と右の羽部１１０とは左右対称な動作を行なう。その結果、浮上移動装置は、鉛直下方に作用する流体力を得る。ただし、このとき、浮上移動装置は、ＧＰＳ（Global positioning system）などの位置センサを用いて自己の位置を検出し、自己の位置がほぼ一定になるように、左右の羽部１１０の羽ばたき運動の周波数および羽ばたきのストロークなどを調整する必要がある。なお、位置センサの代わりに、ピトー管などの速度センサ、または、錘の変位検出などを用いた加速度センサが用いられ、浮上移動装置の位置が積分またはドリフト処理等の演算によって算出されてもよい。
【００６３】
前進のための動作
浮上移動装置が前進するときには、図１７に示すように、左の羽部１１０は、水平面内の左右方向の軸に対して前方の振幅が小さくかつ後方の振幅が大きな動作を行なう。つまり、左の羽部１１０は、前方の切返し点が後方の切り返し点よりも左右方向の中心軸に近くなるような動作をする。また、図示しないが、右の羽部１１０も左の羽部１１０と同様に、左右方向の軸に対して前方の振幅が小さくかつ後方の振幅が大きな動作を行なう。つまり、右の羽部１１０も、前方の切返し点が後方の切り返し点よりも左右方向の中心軸に近くなるような動作をする。さらに、左の羽部１１０と右の羽部１１０とは左右対称な動作を行なう。それにより、浮上移動装置の後方で鉛直下向きに作用する力が大きくなる。そのため、浮上移動装置は、その前部が後部に対して少し下がった状態になる。その結果、浮上移動装置は、後方に作用する流体力を得る。したがって、浮上移動装置は前進する。このとき、浮上移動装置は、ＧＰＳ（Global positioning system）などの位置センサを用いて自己の位置の変化を検出し、自己の移動の速度が所望の速度になるように、左右の羽部１１０の羽ばたき運動の周波数および羽ばたきのストロークなどを調整する必要がある。なお、位置センサを用いて浮上移動装置の速度を算出する代わりに、ピトー管などの速度センサが用いられてもよく、また、錘の変位検出などを用いた加速度センサが用いられ、浮上移動装置の速度が積分またはドリフト処理等の演算によって算出されてもよい。
【００６４】
後退のための動作
浮上移動装置が後退するときには、図１６に示すように、左の羽部１１０は、水平面内の左右方向の軸に対して前方の振幅が大きくかつ後方の振幅が小さな動作を行なう。つまり、左の羽部１１０は、前方の切返し点が後方の切り返し点よりも左右方向の中心軸から遠くなるような動作をする。また、図示しないが、右の羽部１１０もまた、左の羽部１１０と同様に、左右方向の軸に対して前方の振幅が大きくかつ後方の振幅が小さな動作を行なう。つまり、右の羽部１１０も、前方の切返し点が後方の切り返し点よりも左右方向の中心軸から遠くなるような動作をする。さらに、左の羽部１１０と右の羽部１１０とは左右対称な動作を行なう。それにより、浮上移動装置の前方で鉛直下向きに作用する力が大きくなる。そのため、浮上移動装置は、その後部が前部に対して少し下がった状態になる。その結果、浮上移動装置は、後方に作用する流体力を得る。したがって、浮上移動装置は後退する。このときも、浮上移動装置は、ＧＰＳなどの位置センサを用いて自己の位置の変化を検出し、自己の移動の速度が所望の速度になるように、左右の羽部１１０の羽ばたき運動の周波数および羽ばたきのストロークなどを調整する必要がある。なお、位置センサを用いて浮上移動装置の速度を算出する代わりに、ピトー管などの速度センサが用いられてもよく、また、錘の変位検出などを用いた加速度センサが用いられ、浮上移動装置の速度が積分またはドリフト処理等の演算によって算出されてもよい。
【００６５】
旋回時の個別の羽の駆動
本発明者らのシミュレーションによれば、浮上移動装置の旋回運動は、図１３に示すホバリング時の左右対称の羽ばたき方を基準として、左右の羽部のうちの一方の羽部１１０をより大きく前方へ動かしかつ他方の羽部１１０をより小さく前方へ動かす羽ばたき方(以後、「旋回起動羽ばたき」と称する。)と、前者の羽部１１０をより小さく前方へ動かしかつ後者の羽部１１０をより大きく前方へ動かす羽ばたき方(以後、「立て直し羽ばたき」と称する)との組み合わせによって実現される。言い換えれば、浮上移動装置の旋回運動は、前後方向に往復運動する羽ばたき方の前方の切り返し点の位置が異なっている２種類の羽ばたき方の組み合わせによって実現される。なお、旋回起動羽ばたきと立て直し羽ばたきとは、水平面内の前後方向に延びる浮上移動装置の中心軸を基準として、左右対称になっている。
【００６６】
なお、以後、図１３に示される水平面内の左右方向に延びる浮上移動装置の中心軸に対して前後対称の振幅の羽ばたき方を通常羽ばたきという。また、通常羽ばたきに比較して前方の振幅が大きくなっている図１６に示される羽ばたき方を拡大羽ばたきという。また、通常羽ばたきに比較して前方の振幅が小さくなっている図１７に示される羽ばたき方を縮小羽ばたきという。
【００６７】
以下、上記羽ばたき方による旋回の実現手法を詳細に説明する。但し、以下に示される羽ばたき方は、一具体例であり、本発明の範囲は以下の羽ばたき方に制限されるものではない。たとえば、回転角θ1Ｌ、θ2Ｌ、θ1Ｒ、およびθ2Ｒの値等は、アクチュエータの負荷特性等に依存して変更されるものであるが、説明の簡便のため、後述される単純な関数で表される値であるものとする。
【００６８】
通常羽ばたき
通常羽ばたきは、上述の回転角θ1およびθ2が、それぞれ、式（１）：θ1＝Ａ×ｓｉｎ（２×π×ｆ×ｔ−Δφ）、および、式（２）：θ2＝Ａ×ｓｉｎ（２×π×ｆ×ｔ＋Δφ）によって表わされる単振動である羽ばたき方である。ｆは、羽部１１０の往復運動の周波数すなわち羽ばたき周波数であり、ｔは時間である。
【００６９】
Ａ＝π／４、ｆ＝４０Ｈｚ、かつ、Δφ＝０．１１１である場合の通常羽ばたきの回転角θ1およびθ2と時間との関係を図１２に示す。また、通常羽ばたきの羽の先端の軌跡を図１３に示す。
【００７０】
拡大羽ばたきおよび縮小羽ばたき
拡大羽ばたきおよび縮小羽ばたきは、羽ばたきの位相に合わせて変化するシフト角Ｓが式(３）：Ｓ＝Ｂ／２×（１−ｓｉｎ（２×π×ｆ×ｔ））によって表わされる場合に、回転角θ１およびθ２のそれぞれにシフト角Ｓが減算または加算された式によって表わされる羽ばたき方である。なお、拡大羽ばたきおよび縮小羽ばたきのそれぞれは、回転角θ1およびθ2を特定する前述の単振動の関数が、それぞれ、同一周期の単振動の関数で乗算または除算された式で表現されるものであってもよい。
【００７１】
つまり、前進、後退、またはホバリングのための左羽部および右羽部の動作のそれぞれは、連続関数である第１の周期関数（式（１）および式２（２）参照）によって表現される周期運動である。また、旋回起動羽ばたきの右羽部および左羽部のそれぞれの動作は、第１の周期関数と、連続関数であってゼロから始まりゼロで終わる第２の周期関数（式（３）参照）との和または差の関数によって表現される動作である。また、第１周期関数（式（１）および式２（２）参照）の周期と第２の周期関数（式（３）参照）の周期とは一致している。そのため、必要最低限の羽ばたき方の変更で右または左への旋回を実現することができる。
【００７２】
また、旋回起動羽ばたきの右羽部および左羽部のそれぞれの動作は、第１の周期関数と、１から始まり１で終わる第２の周期関数との乗算または除算の関数によって表現される動作であるとも考えられる。このときも、第１周期関数の周期と第２の周期関数の周期とは一致しているものとする。
【００７３】
なお、前述の第１の周期関数および第２の周期関数のそれぞれは、その微分された関数が連続関数であってかつゼロから始まりゼロで終わる関数である。したがって、羽ばたき方の変更で急激な加速度が右羽部および左羽部に生じることが防止されるため、浮上移動装置は、安定して右または左へ旋回することができる。
【００７４】
前述の３つの羽ばたき方の相違を明確にするために、通常羽ばたき、拡大羽ばたきおよび縮小羽ばたきのそれぞれの回転角θ1およびθ2と時間との関係を、図１４および図１５に示す。また、また、拡大羽ばたきの羽部１１０の先端部１０９の所定の点の軌跡を図１６に示し、縮小羽ばたきの羽部１１０の先端部１０９の所定の点の軌跡を図１７に示す。
【００７５】
各羽ばたきの切り替え
図１３、図１６および図１７に示されるように、３つの羽ばたき方のいずれにおいても、後方切り返し点の回転角θの値は常に一定であるため、羽ばたき方の切り換えは、後方切り返し点に羽部１１０が到達した時点で行われるものとする。このようにすることによって、浮上移動装置は、羽部１１０の急な動きの変化または３つの羽ばたき方同士の整合をとるための補完的な羽ばたき方を行なう必要がない。そのため、羽ばたきの切り換えを容易に行なうことができる。
【００７６】
次に、シミュレーションの結果を用いて浮上移動装置の旋回運動の様子を説明する。
【００７７】
左旋回
左旋回のための羽部１１０の動作は次のようなものである。
【００７８】
（旋回前の羽ばたき）
まず、時刻ｔ＝３６．５ｍｓｅｃまで、気流を安定させるための準備羽ばたきの解析を行う。羽ばたき開始当初においては、気流が発生していない。この状態における羽ばたき飛行によって生じる気流は、周期運動の羽ばたき飛行によって行なわれるときの気流とは異なる。したがって、胴体が異常な運動を起こすことを回避する必要がある。したがって、前述の準備羽ばたきが行なわれる。この期間においては、胴体が拘束された状態で解析が行なわれる。
【００７９】
次に、時刻ｔ＝６０ｍｓｅｃまで、ホバリング飛行の１周期の解析が行なわれた後、旋回が行なわれる。この期間においては、図１５に示すように、ヨー（Ｙａｗ）およびロール（Ｒｏｌｌ）は、それぞれ、ほとんど変化しない。つまり、浮上移動装置１はホバリングを行なっている。
【００８０】
（旋回起動羽ばたき）
まず、前半の２周期において、右の羽部１１０は拡大羽ばたきを行ない、左の羽部１１０は縮小羽ばたきを行なう。
【００８１】
（立て直し羽ばたき）
その後、後半の２周期においては、右の羽部１１０は縮小羽ばたきを行ない、左の羽部１１０は拡大羽ばたきを行なう。
【００８２】
図１９〜図２１は、以上の一連の流体・構造連成Ｆｒｅｅ−Ｆｉｇｈｔシミュレーションによって算出された羽部１１０の先端部１０９の変遷を示す図である。図１９は、浮上移動装置が左の羽部１１０および右の羽部１１０に左右対称な羽ばたき方をさせるときの羽部１１０の先端部１０９の所定の点の軌跡を示す図である。図２０は、旋回起動羽ばたきのときの羽部１１０の先端部１０９の所定の点の軌跡を示す図である。図２１は、立て直し羽ばたきのときの羽部１１０の先端部１０９の所定の点の軌跡を示す図である。
【００８３】
浮上移動装置は、左旋回するときには、旋回起動羽ばたきによって、まず、進行方向に向かって反時計回りに大きくロール運動を行なう。それにより、浮上移動装置の姿勢が傾く。つまり、左の羽部１１０が右の羽部１１０に対して下がる。次に、前述のロール運動による姿勢の傾きを相殺するために、立て直し羽ばたきが行なわれる。立て直し羽ばたきによって浮上移動装置の姿勢が復元される。つまり、左の羽部１１０が右の羽部１１０の高さ位置と同じ高さ位置に戻る。その結果、浮上移動装置は、落下することなく、大きく左へ旋回することができる。
【００８４】
一方、右旋回の場合には、左旋回の場合とは逆に、旋回起動羽ばたきの際には、右の羽部１００が縮小羽ばたきを行ない、左の羽部１１０が拡大羽ばたきを行なう。また、立て直し羽ばたきの際には、右の羽部１１０が拡大羽ばたきを行ない、左の羽部１１０は縮小羽ばたきを行なう。
【００８５】
前述の左旋回の羽ばたき方と右旋回の羽ばたき方とは、本体８００の鉛直方向（上下方向）の中心軸および前後方向の中心軸を含む平面に対して鏡面対称の羽ばたき方である。
【００８６】
その他の羽ばたき方
浮上移動装置の旋回のための羽ばたき方においては、旋回羽ばたきと立て直し羽ばたきとが、それぞれ、左右非対称な羽ばたき動作であればよい。本実施の形態の羽ばたき方とは逆に、羽部１１０の動作が左右方向の中心軸に対して前後対称である羽ばたき方を通常羽ばたき、通常羽ばたきに比較して左右方向の中心軸に対してより大きく後方に羽部１１０を動かす羽ばたき方を拡大羽ばたき、かつ、通常羽ばたきに比較して左右方向の中心軸に対してより小さく後方に羽部１１０を動かす羽ばたき方を縮小羽ばたきとして、左右の旋回を行なってもよい。つまり、前方の切り返し点が一定であり、後方の切り返し点の変更によって、３つの羽ばたき方が変更される浮上移動装置であっても、本発明の目的を達成することは可能である。
【００８７】
その他
上記一連の羽ばたき手法は、解析の便宜ために示された一例であり、旋回起動羽ばたきの後に、立て直し羽ばたきが行われる手順で行なわれる羽ばたき方であれば、羽ばたき方は上記の羽ばたき方に限定されず、いかなる羽ばたき方が採用されてもよい。
【００８８】
本実施の形態では、解析の都合上、旋回起動羽ばたきおよび立て直し羽ばたきは、２周期ずつ行なわれているが、これは目的とする旋回角および飛行の安定性等によって決まるものであり、前述の数値に拘束されるものではない。また、これらの数値は整数である必要はない。また、本実施の形態では、羽部の動作の作成の簡便さから、後方の切り返し点に変化はなく、前方の切り返し点のみ移動させるものとしたが、後方の切り返し点も変更されてもよい。
【００８９】
ただし、羽部を駆動する手法の容易性を考慮すると、羽部の角速度が連続的に変化するような羽部の動作が採用されることが望ましい。その意味では、本実施の形態に示されるように、羽部の後方の切り返し点が変化せず、かつ、後方の切り返し点で羽部の動作が切り換えられる手法であれば、常に羽部の角速度が連続的に変化する羽部の動作は、最も簡便に作成される。
【００９０】
なお、羽ばたき浮上移動装置は、上記の羽ばたき方のデータが記憶された記憶手段と、この記憶手段を参照し、アクチュエータ駆動信号に置き換える演算手段とを備えている。
【００９１】
次に、本実施の形態の浮上移動装置の旋回制御処理を図２２および図２３を用いて説明する。
【００９２】
まず、本実施の形態の浮上移動装置１のシステム構成を図２２に示すブロック図を用いて説明する。
【００９３】
本実施の形態の羽部１１０は、その羽軸部１０１が駆動部に接続されている。
駆動部は、前述のように、第１の駆動部１００１、第２の駆動部１００２、および駆動機構部８００を有している。駆動部は、制御装置１００から駆動信号を受ける。制御装置１００は、タイマ、選択手段、および記憶手段を有している。選択手段は、タイマから得られる計時信号に従って、所定の時間に達した場合に、直進、後退、ホバリング、左旋回、および右旋回のうちいずれか１の羽ばたき方を選択する。また、記憶手段には、羽部１１０に通常羽ばたきのデータ、羽部１１０に縮小羽ばたきのデータ、および羽部１１０に拡大羽ばたきのデータが記憶されている。
【００９４】
通常羽ばたきのデータとは、羽部１１０に通常羽ばたきを行なわせるために、第１の駆動部１００１および第２の駆動部１００２がどのように動作すべきかを特定可能なデータである。また、縮小羽ばたきのデータとは、羽部１１０に縮小羽ばたきを行なわせるために、第１の駆動部１００１および第２の駆動部１００２がどのように動作すべきかを特定可能なデータである。また、拡大羽ばたきのデータとは、羽部１１０に拡大羽ばたきを行なわせるために、第１の駆動部１００１、および第２の駆動部１００２がどのように動作すべきかを特定可能なデータである。
【００９５】
図２２において、矢印で示すように、制御装置１００が、第１の駆動部１００１および第２の駆動部１００２のそれぞれに羽ばたき方を特定可能なデータを出力することによって、第１の駆動部１００１および第２の駆動部１００２のそれぞれが前述のデータに従って動作し、それに伴って、羽部１００が所定の羽ばたき方を行なう。したがって、選択手段が、直進、後退、ホバリング、左旋回、および右旋回のうちいずれを選択するかによって、左右の羽部１１０のそれぞれの羽ばたき方が異なる。また、前述のように、浮上移動装置が、直進、後退、またはホバリングする場合には、左右の駆動部の双方に、通常羽ばたきのデータが出力される。また、浮上移動装置が左右のいずれかに旋回する場合には、左右の駆動部のうちのいずれか一方に拡大羽ばたきまたは縮小羽ばたきのデータが出力されるとともに、左右の駆動部のうちの他方に縮小羽ばたきまたは拡大羽ばたきのデータが出力される。
【００９６】
次に、図２３に示すフローチャートを用いて、浮上移動装置が旋回する場合の制御を説明する。
【００９７】
まず、Ｓ１において、浮上移動装置が直進、後退またはホバリングするための動作を行なうべきか否かが判別される。Ｓ１において、浮上移動装置が直進、後退、またはホバリングをすべきであると判定された場合には、Ｓ２において、左の駆動部および右の駆動部のそれぞれに、通常羽ばたきのデータが送信される。したがって、現時点が直進、後退、またはホバリングのためのタイミングであると判定された場合には、左の羽部１１０および右の羽部１１０の双方が、通常羽ばたきのデータに従って動作する。このとき、左右の羽部１１０は、左右対称な動作をするため、浮上移動装置は左および右のいずれにも旋回することなく、直進、後退、またはホバリングする。
【００９８】
また、Ｓ１において、現時点が直進、後退、またはホバリングするタイミングでないと判定されれば、Ｓ３の処理が実行される。Ｓ３においては、左旋回すべきことが決定されており、かつ、現時点が切返しのタイミングであるか否かが判別される。Ｓ３において、左旋回することが決定されておらず、または、現時点が切返しのタイミングでないと判定されれば、Ｓ８の処理が実行されるが、一方、Ｓ３において、左旋回すべきことが決定されておりかつ現時点が切返しのタイミングであると判定されれば、Ｓ４の処理が実行される。Ｓ４においては、左の駆動部に縮小羽ばたきのデータが送信され、右の駆動部に拡大羽ばたきのデータが送信される。これにより、左右の羽部１１０は左旋回のための旋回起動羽ばたきの動作を開始する。
【００９９】
次に、Ｓ５において、左旋回のための旋回起動羽ばたきの動作が開始された後所定時間Ｔが経過したか否かが判別される。Ｓ５において、所定時間Ｔが経過していなければＳ４およびＳ５の処理が繰返される。つまり、Ｓ４およびＳ５において、所定時間Ｔの期間において、左の羽部１１０が、縮小羽ばたきのデータに基づいて動作し、右の羽部１１０が拡大羽ばたきのデータに基づいて動作する。言い換えれば、所定時間Ｔの期間において、浮上移動装置は左へ旋回するために旋回起動はばたきを実行する。
【０１００】
次に、Ｓ６において、左の駆動部に対して拡大羽ばたきのデータが出力される。また、右の駆動部に対して縮小羽ばたきのデータが出力される。したがって、Ｓ４の処理とは逆に、左羽部１１０は、拡大羽ばたきのデータに基づいて動作し、右の羽部１１０は、縮小羽ばたきのデータに基づいて動作する。これにより、浮上移動装置は、立て直し羽ばたきのための動作を開始する。したがって、浮上移動装置の姿勢は、左の羽部１１０が右の羽部１１０に対して下方に下がっている状態から左右の羽部１１０がほぼ同一高さにある状態へ戻される。
【０１０１】
また、Ｓ８においては、右旋回することが決定されておりかつ現時点が切返しのタイミングであるか否かが判別される。Ｓ８において、右旋回されていることが決定されていないか、または、現時点が切返しのタイミングでなければ、再びＳ１の処理が実行される。また、Ｓ８において、右旋回すべきことが決定されておりかつ現時点が切返しのタイミングであると判定されれば、Ｓ９の処理が実行される。Ｓ９においては、左の駆動部に拡大羽ばたきのデータが出力され、右の駆動部に縮小羽ばたきのデータが出力される。したがって、左の羽部１１０は、拡大羽ばたきのデータに基づいて動作し、右の羽部１１０は、縮小羽ばたきのデータに基づいて動作する。その結果、浮上移動装置は右へ旋回するために旋回起動羽ばたきを開始する。
【０１０２】
次に、Ｓ１０において、右旋回のための旋回起動羽ばたきの動作が開始されてから所定時間Ｋが経過したか否かが判別される。Ｓ１０において、所定時間Ｋが経過していると判定されるまで、Ｓ９およびＳ１０の処理が繰返される。つまり、Ｓ９およびＳ１０の処理において、所定時間Ｋの期間において右旋回のための旋回起動羽ばたきの動作が実行される。
【０１０３】
また、Ｓ１０において、所定時間Ｋが経過していると判定されれば、Ｓ１１において、縮小羽ばたきのデータが左の駆動部に出力される。また、右の駆動部には、拡大羽ばたきのデータが出力される。これにより、浮上移動装置は、立て直し羽ばたきの動作を開始する。次に、Ｓ１２において、立て直し羽ばたきが開始された後所定時間Ｋが経過したか否かが判別される。Ｓ１２において、所定時間Ｋが経過していなければ、Ｓ１１およびＳ１２の処理が繰返される。また、Ｓ１２において、所定時間Ｋが経過していれば、Ｓ１の処理が実行される。
【０１０４】
なお、今回開示された実施の形態はすべての点で例示であって制限的なものではないと考えられるべきである。本発明は上記した説明ではなく特許請求の範囲によって示され、特許請求の範囲と均等の意味および範囲内のすべての変更が含まれることが意図される。
【産業上の利用可能性】
【０１０５】
本発明によれば、空間を自由に羽ばたき飛行することができる移動装置を提供することができる。
【図面の簡単な説明】
【０１０６】
【図１】実施の形態の浮上移動装置の全体を示す図である。
【図２】図１に示す浮上移動装置の駆動機構部を示す拡大図である。
【図３】図２に示す駆動機構部の第２のヒンジ部の位置角ωと羽膜部の捻り角αとの関係を示すグラフである。
【図４】図２に示す駆動機構部の第２のヒンジ部の位置角ωと羽膜部の捻り角αとの関係を示す他のグラフである。
【図５】実施の形態１の駆動機構部を示す図である。
【図６】図５に示す駆動機構部の第１の回転部材に一定のトルクを与えた場合の構造解析の結果を示す図である。
【図７】図５に示す駆動機構部の第１の回転部材に図６に示す駆動機構部の第１の回転部材に与えたトルクの方向とは逆方向に一定のトルクを与えた場合の構造解析の結果を示す図である。
【図８】羽軸部の往復運動に伴って、羽膜部がどのように変化するかを説明するための図である。
【図９】浮上移動装置の羽面部に生じる流体の流れを説明するための図である。
【図１０】羽ばたき角と捻り角とを説明するための図である。
【図１１】従来の旋回方法を説明するための図である。
【図１２】回転角θ1と回転角θ2との関係を示すグラフである。
【図１３】通常羽ばたきの羽部の先端の軌跡を示す図である。
【図１４】拡大羽ばたき、縮小羽ばたき、および通常羽ばたきのそれぞれにおいて、回転角θ1がどのように変化するかを示す図である。
【図１５】拡大羽ばたき、縮小羽ばたき、および通常羽ばたきのそれぞれにおいて、回転角θ2がどのように変化するかを示す図である。
【図１６】拡大羽ばたきの羽部の先端の軌跡を示す図である。
【図１７】縮小羽ばたきの羽部の先端の軌跡を示す図である。
【図１８】対称羽ばたき、旋回起動羽ばたき、および立て直し羽ばたきのそれぞれによって、ピッチ、ヨー、およびロールがどのように変化するかを示すグラフであって、シミュレーションの結果を示す図である。
【図１９】対称羽ばたきの羽部の先端の軌跡を示す図である。
【図２０】旋回起動羽ばたきの羽部の先端の軌跡を示す図である。
【図２１】立て直し羽ばたきの羽部の先端の軌跡を示す図である。
【図２２】実施の形態の浮上移動装置のシステム構成を説明するためのブロック図である。
【図２３】実施の形態の旋回制御処理を説明するためのフローチャートである。
【符号の説明】
【０１０７】
１００  羽膜部、１０１  羽軸部、１０２  第１の回転部材、１０３  第１のヒンジ部、１０４  第１の中間部材、１０５  第２のヒンジ部、１０６  第２の中間部材、１０７  第３のヒンジ部、１０８  第２の回転部材、１０９  先端部、１１０  羽部、５００  本体、８００  駆動機構部、１００１  第１の駆動部、１００２  第２の駆動部。
【図１】
2006232169.tif 000003
【図２】
2006232169.tif 000004
【図３】
2006232169.tif 000005
【図４】
2006232169.tif 000006
【図５】
2006232169.tif 000007
【図６】
2006232169.tif 000008
【図７】
2006232169.tif 000009
【図８】
2006232169.tif 000010
【図９】
2006232169.tif 000011
【図１０】
2006232169.tif 000012
【図１１】
2006232169.tif 000013
【図１２】
2006232169.tif 000014
【図１３】
2006232169.tif 000015
【図１４】
2006232169.tif 000016
【図１５】
2006232169.tif 000017
【図１６】
2006232169.tif 000018
【図１７】
2006232169.tif 000019
【図１８】
2006232169.tif 000020
【図１９】
2006232169.tif 000021
【図２０】
2006232169.tif 000022
【図２１】
2006232169.tif 000023
【図２２】
2006232169.tif 000024
【図２３】
2006232169.tif 000025